(57)【要約】【課題】先端に引出し式の冷気吹出口を備えて庫内に設置した分岐ダクトについて、その冷気吹出口の引出し位置を分岐ダクトの設置段に合わせて適正位置に位置決めセットし、庫内前面に乱れの少ない冷気エアカーテンを形成できるようにする。【解決手段】冷気循環式の多段形ショーケースで、その庫内の中段位置に商品陳列棚と並べて冷気循環路から取り込んだ冷気を庫内前方に導風して庫内前面に冷気エアカーテンを形成冷気吹出用の分岐ダクト９を備えショーケースにおいて、分岐ダクト９の前部に引出式の冷気吹出口９ｃを備えるとともに、該冷気吹出口の引出し位置を分岐ダクトの設置段に合わせてあらかじめ指定した適正位置にセットするための調節手段として化粧ねじ１３，位置決め用のネジ穴１５を設けておき、分岐ダクトを通じて庫内前方の定位置に冷気エアカーテンを形成させるようにし保冷性能の安定化を図る。【選択図】図１
2008075912.tif 000002
【特許請求の範囲】
【請求項１】
ケース前面の上下端部に冷気循環路の冷気吹出口，冷気吸込口が開口する前面開放形ケース本体の庫内に、階段状に段差をつけて上下段に並ぶ商品陳列棚，および選択した段の商品陳列棚の下面に配置して冷気循環路から取り込んだ冷気を庫内前方に導風する冷気吹出用の分岐ダクトを備え、運転モードによりケース本体の冷気吹出口，もしくは分岐ダクトを通じて庫内前面に冷気エアカーテンを吹き出し形成する冷気循環式のショーケースにおいて、
前記分岐ダクトの前部に引出式の冷気吹出口を備えるとともに、該冷気吹出口の引出し位置を分岐ダクトの設置段に対応して定めた指定位置にセットするための調節手段を備えたことを特徴とするショーケース。
【請求項２】
請求項１に記載のショーケースにおいて、分岐ダクトの引出し式冷気吹出口が、その前端を下向きに開口して分岐ダクトの胴部へスライド可能に嵌挿したダクトであり、その引出し位置の調節手段として分岐ダクトに、冷気吹出口のダクトを指定の引出し位置に位置決めして固定する固定部材を設けたことを特徴とするショーケース。
【請求項３】
請求項１，２に記載のショーケースにおいて、分岐ダクトに備えた冷気吹出口の引出し位置は、本体ケースの冷気吹出口／吸込口間に形成されるエアカーテンの気流経路を基準にしてこの気流経路に合わせて設定したことを特徴とするショーケース。
【請求項４】
請求項３に記載のショーケースにおいて、本体ケースの冷気吹出口が、冷気吸込口を通る鉛直面上に開口していることを特徴とするショーケース。
【発明の詳細な説明】
【技術分野】
【０００１】
本発明は、コンビニエンスストアなどの店舗に据付けてホット商品，コールド商品を庫内の商品陳列棚に陳列して加温，保冷するようにしたホット・アンド・コールド型のショーケースに関する。
【背景技術】
【０００２】
昨今では、お茶，缶コーヒーなどの商品を陳列，販売するショーケースとして、商品を庫内の上部と下部の商品陳列棚に分けて加温，保冷するようにしたホット・アンド・コールド型のショーケースが普及している。
このホット・アンド・コールド型のショーケースは、冷気循環式の多段形ショーケースをベースに、その庫内には上下段に並ぶヒータ付きの商品陳列棚と、庫内の中段位置に配置して冷気循環路から取り込んだ冷気を庫内の下方域に導風する冷気吹き出し用の分岐ダクトを装備し、該分岐ダクトを境にして庫内の上部ゾーンに並ぶ商品陳列棚に陳列した商品（ホット商品）をヒータで加温し、下部ゾーンの商品陳列棚に陳列した商品（コールド商品）を、前記分岐ダクトを通じて庫内に吹き出した冷気で保冷するようにしている（例えば、特許文献１参照）。
【０００３】
次に、前記の特許文献１に開示されているショーケースの構成を図４に示す。図４（ａ），（ｂ）において、１は前面開放形のケース本体、２はケース本体１の外箱、３は内箱、４は内箱３を取り巻いて外箱２との間に画成した冷気循環通風路、４ａ，４ｂはケース本体１の前面開口部に向けてその上下端部に開口した冷気循環路３の冷気吹出口（ハニカム），冷気吸込口（リターングリル）、５は冷却器（冷凍機のエバポレータ）、６は冷気送風用の庫内ファン、７は冷凍機のコンデンシングユニット、８は上下段に並べて内箱２の背面パネルに棚支柱（不図示）を介して架設したヒータ付きの商品陳列棚、９は庫内の中段位置に配備した冷気吹出用の分岐ダクトであり、該分岐ダクト９は前端に冷気吹出口９ａが下向きに開口し、後端部には冷気循環通風路４に向けて出没する導風ダンパ９ｂを備えている。
【０００４】
なお、このショーケースでは商品陳列棚８に陳列した商品の展示性を高めるために、ケース本体１の内箱３の背面パネルを傾斜させた上で、この背面パネルに沿って上下段に並ぶ商品陳列棚８を図示のように階段状に段差をつけて下段側に並ぶ棚が上段側の棚よりも前方に突き出すように配置している。
上記構成のショーケースの動作は特許文献１にも詳しく述べられており、分岐ダクト９を境に庫内の上部ゾーンに並ぶ商品陳列棚８に陳列した商品（ホット商品）を加温し、下部ゾーンの商品陳列棚に陳列した商品（コールド商品）を保冷する運転モード（ホット・アンド・コールド）では、図示のように分岐ダクト９の導風ダンパ９ｂを背後に引出して冷気吹出口４ａに通じる冷気循環通風路４を遮断するとともに、ホット商品を陳列した上部ゾーンの商品陳列棚８のヒータを通電する。これにより、冷却器５と熱交換した冷気が冷気循環通風路４の途中から分岐ダクト９を経由して庫内の下部ゾーン領域に吹き出してコールド商品を保冷する。一方、上部ゾーンには冷気が通風せず、この領域に陳列したホット商品は商品陳列棚８のヒータにより加温されることになる。
【０００５】
また、各段の商品陳列棚８に陳列する商品を全てコールド商品として保冷する運転モード（コールド）では、分岐ダクト９の導風ダンパ９ｂをダクト内に後退させた上で、商品陳列棚８の加熱ヒータを非通電とする。これにより、冷気循環通風路４に通風する冷気は分岐ダクト９を経由せずにケース本体１の冷気吹出口４ａから吸込口４ｂに向けて吹き出し、庫内前面に冷気エアカーテンを形成して庫内の商品陳列棚８に陳列した全商品が保冷される。
一方、前記のホット・アンド・コールド型ショーケースにて、分岐ダクト９を設置する棚段を上段あるいは下段位置に変更してホット商品を陳列する庫内上部のホットゾーンとコールド商品を陳列する庫内下部のコールドゾーンとの容積比率を変更できるようにした構成が公知である（例えば、特許文献２参照）。
【０００６】
さらに、前記の分岐ダクト９について、庫内前面に吹き出し形成する冷気エアカーテンが乱されるのを防ぐための対策として、分岐ダクトの先端に引出し式の冷気吹出口を設けておき、庫内全域を保冷する運転モードでは引出し式の冷気吹出口を押し込み、庫内の下部ゾーンを保冷する運転モード時に引出し式の冷気吹出口を前方へ引き出すようにした構成も知られている（特許文献３参照）。
【特許文献１】特開２００２−１６８５５４号公報（図１，図２）
【特許文献２】特開２００４−２８６４３３号公報（図３，図４）
【特許文献３】特開２００４−２８６２４９号公報（図１，図６）
【発明の開示】
【発明が解決しようとする課題】
【０００７】
前記したホット・アンド・コールド型のショーケースについては保冷性能面で次記のような問題点がある。
すなわち、冷気循環式のショーケースにおいては、庫内前面に吹き出し形成する冷気エアカーテンが外気熱の庫内侵入を遮蔽して庫内を保冷する役目を果たしており、その冷気エアカーテンの特性がショーケースの保冷性能を左右することはよく知られている通りである。
また、多段形のショーケースで冷気エアカーテンの乱れを最小に抑えて高い遮熱性能を発揮させるには、エアカーテンの吹き出し経路を鉛直方向に設定し、吹出口から真下に吹き出した比重の大きな冷気が庫内の商品陳列棚との干渉なしにそのまま重力方向に流下して層流状態を維持したまま吸込口に到達して吸い込まれるように構成することが基本（理想）条件となる。
【０００８】
図５は前記条件を基にケース本体を構成した多段形の冷気循環式ショーケースで、ケース本体１の上端部に開口する冷気吹出口４ａを通じてケース本体の前面に冷気エアカーテンを鉛直方向に吹き出し形成させるために、冷気吹出口４ａは吸込口４ｂの真上に対峙している。また、ケース本体１の庫内にはその前面開口部から奥まった位置に奥行き寸法Ｌの商品陳列棚８が階段状に段差をつけて配置されている。
上記の構成により、庫内全域を保冷するコールド運転モードでは、図５（ａ）で示すようにケース本体１の冷気吹出口４ａから吹き出して庫内前面に形成する冷気エアカーテン１０は鉛直方向に流下して乱れの少ない理想的なエアカーテンを形成する。
これに対して、庫内中段位置に配置した分岐ダクト９を通じて冷気循環路４から取り込んだ冷気を前方に導風して庫内の下部ゾーンに吹き出した冷気流は、階段状に並ぶ商品陳列棚８の前端に沿って吸込口４ａに至るように流れ、その冷気エアカーテン１１は斜め方向の気流経路に沿って形成されるようになる。このために、分岐ダクト９を通じて庫内前面に吹き出した冷気エアカーテン１１は商品陳列棚８の先端部に干渉して乱れ易くなり、このままでは高いエアカーテン性能を確保することが困難となる。
【０００９】
また、分岐ダクト９を配置する棚段によって、分岐ダクト９の前端に開口する冷気吹出口９ａとケース本体１の冷気吹出口４ａと吸込口４ｂとの間を結ぶ仮想の鉛直面Ａ（点線）との間の間隔が異なる。すなわち、分岐ダクト９を庫内の最上段に並ぶ商品陳列棚の下面に配置した棚段位置Ｉ（図５（ｂ）参照）では、分岐ダクト９の前端と前記鉛直面Ａとの間の間隔がｄ１であるのに対して、分岐ダクト９を二段目，三段目に並ぶ商品陳列棚９の下面に配置した棚段位置IIあるいはIII(図５（ｃ），（ｄ）参照)では前記間隔がｄ２（ｄ２＜ｄ１），ｄ３（ｄ３＜ｄ２）に縮減する。
このことから、分岐ダクト９として、先記の特許文献３に開示されている引出し式の冷気吹出口（引出し位置は固定）を備えた分岐ダクトを採用したとしても、該分岐ダクトから前方に引出した冷気吹出口を通じて吹き出し形成される冷気エアカーテン１１と下段側に並ぶ商品陳列棚８との不要な干渉が改善されるものの、分岐ダクトを配置する棚段位置によって、分岐ダクト９の冷気吹出口とケース本体の冷気吸込口４ｂとの間には図５（ｂ）〜（ｄ）に示した間隔（ｄ１，ｄ２，ｄ３）に相応する間隔が残る。このために、分岐ダクト９を通じて庫内前面に吹き出す冷気エアカーテン１１は、図５（ａ）に示した鉛直方向の冷気エアカーテン１０とは異なり気流経路が庫内側に傾き、さらに比重の大きな冷気空気の影響も受け、商品陳列棚８と干渉してエアカーテンの気流が乱れ易くなる。
【００１０】
本発明は上記の点に鑑みなされたものであり、その目的は前記課題を解消し、引出し式の冷気吹出口を備えた分岐ダクトを選択した庫内の棚段位置に設置する際に、その冷気吹出口の引出し位置を適正位置に位置決めセットし、分岐ダクトの冷気吹出口を通じて庫内前面に乱れの少ない冷気エアカーテンを形成して保冷性能の向上，安定化が図れるように改良したショーケースを提供することにある。
【課題を解決するための手段】
【００１１】
上記目的を達成するために、本発明によれば、ケース前面の上下端部に冷気循環路の冷気吹出口，冷気吸込口が開口する前面開放形ケース本体の庫内に、階段状に段差をつけて上下段に並ぶ商品陳列棚，および選択した段の商品陳列棚の下面に配置して冷気循環路から取り込んだ冷気を庫内前方に導風する冷気吹出用の分岐ダクトを備え、運転モードによりケース本体の冷気吹出口，もしくは分岐ダクトを通じて庫内前面に冷気エアカーテンを吹き出し形成する冷気循環式のショーケースにおいて、
前記分岐ダクトの前部に引出式の冷気吹出口を備えるとともに、該冷気吹出口の引出し位置を分岐ダクトの設置段に対応して定めた指定位置にセットするための調節手段を備えるものとし（請求項１）、具体的には次記のような態様で構成する。
（１）前記分岐ダクトの引出し式冷気吹出口は、その前端を下向きに開口して分岐ダクトの胴部へスライド可能に嵌挿したダクトで構成し、その引出し位置の調節手段として分岐ダクトに、前記冷気吹出口のダクトを指定の引出し位置に位置決めして固定する固定部材を設ける（請求項２）。
（２）前記の分岐ダクトに備えた冷気吹出口の引出し位置は、分岐ダクトを選択した棚段位置にセットした状態で本体ケースの冷気吹出口／吸込口間に形成されるエアカーテンの気流経路を基準にしてこの気流経路に合わせて設定するようにする（請求項３）。
（３）前記の構成において、本体ケースの冷気吹出口は、冷気吸込口を通る鉛直面上に合わせて開口する（請求項４）。
【発明の効果】
【００１２】
上記の構成において、階段状に並ぶ庫内の商品陳列棚から選択した棚段位置に分岐ダクトを設置する際に、分岐ダクトに備えた引出し式冷気吹出口をその調節手段であらかじめ定めた引出し位置に合わせてセットすることにより、分岐ダクトの選択した棚段位置に関係なく保冷運転時に分岐ダクトを通じて庫内前面に吹き出し形成されるエアカーテンが、ケース本体の冷気吹出口を通じて吹き出すエアカーテンと同方向の経路に沿って形成されることになる。ここで、ケース本体の冷気吹出口を通じて形成される基準の冷気エアカーテンが重力方向に沿った鉛直方向となるようにしておけば、分岐ダクトを通じて庫内前面に吹き出す冷気エアカーテンも同様に垂直方向の経路にそって形成されることになる。これにより、分岐ダクトを通じて庫内の下部ゾーンに冷気を吹き出すホット・アンド・コールド運転モードでは、庫内に並ぶ商品陳列棚との不要な干渉を避けて乱れの少ない冷気エアカーテンを庫内前面に形成して安定した保冷性能を確保することができる。
【発明を実施するための最良の形態】
【００１３】
以下、本発明の実施の形態を図１〜図３に示す実施例に基づいて説明する。なお、実施例の図中で図４，図５に対応する部材には同じ符号を付してその説明は省略する。
まず、本発明の実施例による分岐ダクト９の詳細構造を図１（ａ），（ｂ）に示す。すなわち、図示実施例の分岐ダクト９はその前端側に引出し式の冷気吹出口９ｃを備え、後端には導風ダンパ９ｂを備えている。ここで、引出し式の冷気吹出口９ｃは分岐ダクト９の胴部にスライド可能に嵌挿したダクト９ｃ−１の先端部に開口部（ハニカム）９ｃ−２が下向きに開口した構造になる。
また、分岐ダクト９には冷気吹出口９ｃの引出し位置を調節する手段として、次記のような固定機構を備えている。すなわち、分岐ダクト９の胴部下面には化粧ねじ１２，１３を取り付けて導風ダンパ９ｂ，冷気吹出口９ｃをそれぞれ引出し，押し込み位置にねじ締結するようにしており、１４はダンパ９ｂを引出し位置にセットするねじ穴、１５は冷気吹出口９ｃを指定の引出し位置に位置決めセットするためのねじ穴である。ここで、前記ねじ穴１５は符号Ｉ，II, IIIで示す前後３箇所に並べて穿孔しており、このねじ穴１５を選択して化粧ねじ１３を冷気吹出口９ｃのダクト９ｃ−１に螺合することで、冷気吹出口９を図２（ａ）〜（ｃ）に示す各段の引出し位置Ｉ，II, IIIにセットするようにしている。
【００１４】
次に、前記した分岐ダクト９の引出し式冷気吹出口９ｃについて、図２（ａ）〜（ｃ）のＩ，II, III段に対応する引出し位置とそのセットの仕方，および該分岐ダクト９を通じて庫内前方に吹き出した冷気エアカーテンの状態を図３を参照して説明する。なお、図３（ａ）〜（ｄ）は、図５で述べたショーケースの庫内に図１の分岐ダクト９を搭載して図５（ａ）〜（ｄ）に対応する棚段位置に設置した状態で運転状態を表している。
まず、図２（ｂ）〜（ｄ）に示したＩ，II, III段に対応する冷気吹出口９の引出し長さＬ１〜Ｌ３は、それぞれ図５の図中に表した間隔ｄ１〜ｄ３と対応ようにあらかじめ決めておく。そして、この分岐ダクト９を図３（ｂ）のように庫内の最上段に並ぶ商品陳列棚８を選択してその下面に設置し、この位置で分岐ダクト９を通じて冷気を庫内前面に吹き出して庫内の下部ゾーンを保冷する場合には、引出し式冷気吹出口９ｃを図２（ｂ）の引出し位置Ｉに合わせて調節セットし、後端の導風ダンパ９ｂを引出した上で庫内に装着する。また、分岐ダクト９を図３（ｃ），（ｄ）のように庫内の上位から２段目，３段目に並ぶ商品陳列棚８の下面に変更する場合には、図３（ｂ）の位置から一旦取り外した分岐ダクト９の引出し式冷気吹出口９ｃをそれぞれ図２（ｂ），（ｃ）の引出し位置に調節し直した上で、庫内のII，もしくはIII段の位置に装着する。これにより、分岐ダクト９の引出し式冷気吹出口９ｃの先端開口部がいずれの設置位置でもケース本体１下部前端に開口する冷気吸込口４ｃの真上に対峙することになる。
【００１５】
そして、上記のセット状態でショーケースを保冷運転すると、図３（ｂ），（ｃ），（ｄ）で表すように冷気循環路４から分岐ダクト９を経由してその先端の冷気吹出口９ｃから庫内前面に向けて吹き出す冷気エアカーテン１１は、分岐ダクト９を設置したＩ，II, III段の位置に関係なく、ケース本体の冷気吸込口４ｂに向けて鉛直方向に形成されるようになる。つまり、分岐ダクト９を通じて庫内前面に吹き出し形成されるエアカーテン１１の冷気流は、図３（ａ）に示した庫内全域の保冷運転モード（分岐ダクト９の冷気吹出口９ｃ，導風ダンパ９ｂは図１の状態に押し込んでおく）でケース本体１の前面開口部に吹き出し形成されるエアカーテン１０の冷気流と同様に重力方向に沿って層流状態を保ったまま鉛直方向に流下する。また、冷気エアカーテン１１は庫内に奥まって配列した商品陳列棚８と干渉するおそれもなく、これにより乱れの少ないエアカーテンを形成して安定した保冷性能を確保できる。
【００１６】
しかも、分岐ダクト９には図１に示した引出し式冷気吹出口９ｃに対する引出し位置の調節機構を備えてことにより、ショーケースのロケーション先で庫内のホットゾーンとコールドゾーンの容積比率を変更する場合に、簡単な操作で分岐ダクト９の冷気吹出口９ｃの引出し位置をあらかじめ指定した適正位置にセットすることができる。なお、この調節手段として図示例では化粧ねじ１３とねじ穴１５を組み合わせた位置決め機構を設けているが、これに限定されるものではなく、他の調節機構を採用してもよい。
【図面の簡単な説明】
【００１７】
【図１】本発明の実施例による分岐ダクトの詳細構造図で、（ａ）は側視断面図、（ｂ）は裏面図
【図２】図１の分岐ダクトに備えた引出し式冷気吹出口の調節状態を表す図で、（ａ）〜（ｃ）はそれぞれ異なる調節段に設定した状態の側視断面図
【図３】図１の分岐ダクトを搭載したホット・アンド・コールド型ショーケースの運転状態図で、（ａ）は庫内全域を保冷するコールド運転モード、（ｂ），（ｃ），（ｄ）はそれぞれ分岐ダクトを棚段位置Ｉ，II，IIIにセットしたホット・アンド・コールド運転モードで庫内前面に吹き出した冷気エアカーテンを表す図
【図４】従来におけるホット・アンド・コールド型ショーケースの構成図で、（ａ）は正面図、（ｂ）は庫内構造を表す側視断面図
【図５】図４に対応するショーケースの運転状態図で、（ａ）は庫内全域を保冷するコールド運転モード、（ｂ），（ｃ），（ｄ）はそれぞれ分岐ダクトを異なる棚段位置にセットしたホット・アンド・コールド運転モードで庫内前面に吹き出した冷気エアカーテンを表す図
【符号の説明】
【００１８】
１    ケース本体
４    冷気循環路
４ａ  ケース本体の冷気吹出口
４ｃ  ケース本体の冷気吸込口
８    商品陳列棚
９  分岐ダクト
９ｂ  導風ダンパ
９ｃ  引出し式冷気吹出口
９ｃ−１  ダクト
９ｃ−２  開口部
１０    本体ケースの冷気吹出口から吹き出し形成した冷気エアカーテン
１１    分岐ダクトから庫内前面に吹き出し形成した冷気エアカーテン
１３    分岐ダクトの冷気吹出口を指定の引出し位置に固定する化粧ねじ
１５    分岐ダクトの冷気吹出口を指定の引出し位置を調節セットするねじ穴
【図１】
2008075912.tif 000003
【図２】
2008075912.tif 000004
【図３】
2008075912.tif 000005
【図４】
2008075912.tif 000006
【図５】
2008075912.tif 000007